(57)【要約】【課題】刃受端子構造を小形化および簡素化できるとともに、コンセント本体に占める２つのコンセント部の配置範囲を小さくできるコンセントを提供する。【解決手段】コンセント10は、コンセント本体13、共通接地極刃受部26、第１電圧用コンセント部21および第２電圧用コンセント部22を備える。共通接地極刃受部26は、コンセント本体13に１つ設ける。第１電圧用コンセント部21は、一対の第１電圧用刃受部25a，25bを有し、１つの共通接地極刃受部26と一対の第１電圧用刃受部25a，25bを組としてコンセント本体13に設ける。第２電圧用コンセント部22は、一対の第２電圧用刃受部33a，33bを有し、１つの共通接地極刃受部26と一対の第２電圧用刃受部33a，33bを組としてコンセント本体13に設ける。【選択図】図１
2019145368.tif 000002
【特許請求の範囲】
【請求項１】
コンセント本体と；
前記コンセント本体に設けられる１つの共通接地極刃受部と；
一対の第１電圧用刃受部を有し、１つの前記共通接地極刃受部と一対の前記第１電圧用刃受部を組として前記コンセント本体に設けられる第１電圧用コンセント部と；
一対の第２電圧用刃受部を有し、１つの前記共通接地極刃受部と一対の前記第２電圧用刃受部を組として前記コンセント本体に設けられる第２電圧用コンセント部と；
を具備することを特徴とするコンセント。
【請求項２】
前記コンセント本体は、大角連用形３個モジュールサイズに設けられており、
前記コンセント本体に設けられたアースターミナル部を具備する
ことを特徴とする請求項１記載のコンセント。
【発明の詳細な説明】
【技術分野】
【０００１】
本発明の実施形態は、第１電圧用コンセント部および第２電圧用コンセント部を備えたコンセントに関する。
【背景技術】
【０００２】
従来、配線器具では、１つのコンセント本体に、第１電圧用コンセント部である例えば１００Ｖ用コンセント部と、第２電圧用コンセント部である例えば２００Ｖ用コンセント部とを並べて配置したコンセントがある。
【０００３】
１００Ｖ用コンセント部は、一対の１００Ｖ用電圧極刃受部と１つの接地極刃受部とを組として設けられている。また、２００Ｖ用コンセント部は、一対の２００Ｖ用電圧極刃受部と１つの接地極刃受部とを組として設けられている。
【０００４】
これら１００Ｖ用コンセント部と２００Ｖ用コンセント部は、コンセント本体に個別に配置されている。そのため、１００Ｖ用コンセント部の接地極刃受端子と２００Ｖ用コンセント部の接地極刃受端子とに、１つの共通刃受端子を用いる場合があるが、刃受端子構造が大形で複雑になっている。また、コンセント本体に占める２つのコンセント部の配置範囲が大きくなり、他の構成を設けることが制限される。
【０００５】
このように、１つのコンセント本体に２つのコンセント部を並べて配置するコンセントでは、刃受端子構造が大形で複雑になっており、コンセント本体に占める２つのコンセント部の配置範囲が大きくなっている。
【先行技術文献】
【特許文献】
【０００６】
【特許文献１】特開２００５−３３９９７９号公報
【発明の概要】
【発明が解決しようとする課題】
【０００７】
本発明が解決しようとする課題は、刃受端子構造を小形化および簡素化できるとともに、コンセント本体に占める２つのコンセント部の配置範囲を小さくできるコンセントを提供することである。
【課題を解決するための手段】
【０００８】
実施形態のコンセントは、コンセント本体、共通接地極刃受部、第１電圧用コンセント部および第２電圧用コンセント部を備える。共通接地極刃受部は、コンセント本体に１つ設ける。第１電圧用コンセント部は、一対の第１電圧用刃受部を有し、１つの共通接地極刃受部と一対の第１電圧用刃受部を組としてコンセント本体に設ける。第２電圧用コンセント部は、一対の第２電圧用刃受部を有し、１つの共通接地極刃受部と一対の第２電圧用刃受部を組としてコンセント本体に設ける。
【発明の効果】
【０００９】
実施形態のコンセントによれば、刃受端子構造を小形化および簡素化するとともに、コンセント本体に占める２つのコンセント部の配置範囲を小さくすることが期待できる。
【図面の簡単な説明】
【００１０】
【図１】一実施形態を示すコンセントの正面図である。
【図２】同上コンセントのアース扉を開けた状態の正面図である。
【図３】同上コンセントの背面図である。
【図４】比較例のコンセントの正面図である。
【発明を実施するための形態】
【００１１】
以下、一実施形態を、図面を参照して説明する。
【００１２】
図１ないし図３に一実施形態のコンセント10を示す。このコンセント10は、枠状のサポートに取り付けられ、サポートによって壁面に埋め込まれている埋込ボックスなどに取り付けられる配線器具である。
【００１３】
コンセント10は、背面側のケース11と前面側のカバー12とを組み合わせて構成される縦長形状のコンセント本体13を有している。コンセント本体13は、ＪＩＳ規格により規格化された大角連用形３個モジュールサイズに設けられている。コンセント本体13の両側には、サポートの枠内に取り付けるための取付部14が設けられている。
【００１４】
そして、コンセント本体13の前面側には、第１電圧用コンセント部21、第２電圧用コンセント部22、およびアースターミナル部23が設けられている。
【００１５】
第１電圧用コンセント部21は、例えば、定格電流１５・２０Ａ兼用、定格電圧１２５Ｖ用の１００Ｖ用コンセント部であり、負荷である電気機器の電源コードに設けられた接地極付１００Ｖ用プラグが接続される。第２電圧用コンセント部22は、例えば、定格電流２０Ａ、定格電圧２５０Ｖ用の２５０Ｖ用コンセント部であり、負荷である電気機器の電源コードに設けられた接地極付２００Ｖ用プラグが接続される。
【００１６】
第１電圧用コンセント部21は、一対の第１電圧用刃受部25a，25bと１つの共通接地極刃受部26とを組として、コンセント本体13の上部側に設けられている。コンセント本体13の前面側において、上側に一対の第１電圧用刃受部25a，25bが配置され、これら一対の第１電圧用刃受部25a，25bの間の下側に１つの共通接地極刃受部26が配置されている。一対の第１電圧用刃受部25a，25bおよび１つの共通接地極刃受部26は、接地極付１００Ｖ用プラグの各プラグ刃の位置と対応した位置に配置されている。
【００１７】
一対の第１電圧用刃受部25a，25bは、例えば単相３線式電線の第１電圧極と中性極にそれぞれ接続されるもので、一方の第１電圧用刃受部25aが第１電圧極刃受部27であり、他方の第１電圧用刃受部25bが中性極刃受部28である。
【００１８】
コンセント本体13のカバー12には、各刃受部26，27，28の位置に対応して、接地極付１００Ｖ用プラグが差し込まれる差込口29，30，31が設けられている。共通接地極刃受部26の差込口29は四角形状に形成され、第１電圧極刃受部27の差込口30は断面Ｉ字形に形成され、中性極刃受部28の差込口31は横向きの断面Ｔ字形に形成されている。
【００１９】
また、第２電圧用コンセント部22は、一対の第２電圧用刃受部33a，33bと１つの共通接地極刃受部26とを組として、コンセント本体13の上下方向中間部に設けられている。共通接地極刃受部26は、第１電圧用コンセント部21と共通である。コンセント本体13の前面側において、下側に一対の第２電圧用刃受部33a，33bが配置され、これら一対の第２電圧用刃受部33a，33bの間の上側に１つの共通接地極刃受部26が配置されている。一対の第２電圧用刃受部33a，33bおよび１つの共通接地極刃受部26は、接地極付２００Ｖ用プラグのプラグ刃の位置と対応した位置に配置されている。
【００２０】
一対の第２電圧用刃受部33a，33bは、例えば単相３線式電線の第１電圧極と第２電圧極にそれぞれ接続されるもので、一方の第２電圧用刃受部33aが第１電圧極刃受部34であり、他方の第２電圧用刃受部33bが第２電圧極刃受部35である。
【００２１】
コンセント本体13のカバー12には、各刃受部34，35の位置に、接地極付２００Ｖ用プラグが差し込まれる差込口36，37が設けられている。第１電圧極刃受部34の差込口36は断面Ｌ字形に形成され、第２電圧極刃受部35の差込口37は横向きの断面Ｉ字形に形成されている。
【００２２】
また、コンセント本体13内には、複数の端子が収容されている。複数の端子には、接地極刃受端子40、第１電圧極刃受端子41、中性極刃受端子42および第２電圧極刃受端子43などが含まれている。共通接地極刃受部26の差込口29の内側に、接地極付１００Ｖ用プラグまたは接地極付２００Ｖ用プラグの接地極プラグ刃が接続される接地極刃受端子40の刃受40aが配置されている。第１電圧極刃受部27の差込口30の内側に、接地極付１００Ｖ用プラグの第１電圧極プラグ刃が接続される第１電圧極刃受端子41の刃受41aが配置されている。中性極刃受部28の差込口31の内側に、接地極付１００Ｖ用プラグの中性極プラグ刃が接続される中性極刃受端子42の刃受42aが配置されている。第１電圧極刃受部34の差込口36の内側に、接地極付２００Ｖ用プラグの第１電圧極プラグ刃が接続される第１電圧極刃受端子41の刃受41bが配置されている。第２電圧極刃受部35の差込口37の内側に、接地極付２００Ｖ用プラグの第２電圧極プラグ刃が接続される第２電圧極刃受端子43の刃受43aが配置されている。第１電圧極刃受端子41は、刃受41aと刃受41bを一体に有している。
【００２３】
また、アースターミナル部23は、コンセント本体13の下部側に設けられている。カバー12に接続口46が形成され、この接続口46にはアース扉47が開閉可能に取り付けられている。接続口46の内側には、アース線（接地線）を接続するためのアース端子48およびアース接続ねじ49が配置されている。アース端子48は、接地極刃受端子40と電気的に接続されている。
【００２４】
また、コンセント本体13のケース11の背面側には、複数の電線挿入孔が設けられている。複数の電線挿入孔には、単相３線式電線の第１電圧極線Ｌ1が挿入される電線挿入孔52、中性極線Ｎが挿入される電線挿入孔53、および第２電圧極線Ｌ2が挿入される電線挿入孔54が含まれているとともに、アース線Ｇが挿入される電線挿入孔55が含まれている。
【００２５】
各電線挿入孔52〜55の内側には、電線を電気接続状態に保持する電線接続端子（鎖錠端子）が接続されている。第１電圧極線Ｌ1が挿入される電線挿入孔52の電線接続端子は、第１電圧極刃受端子41と組み合わされて電気的に接続されている。中性極線Ｎが挿入される電線挿入孔53の電線接続端子は、中性極刃受端子42と組み合わされて電気的に接続されている。第２電圧極線Ｌ2が挿入される電線挿入孔54の電線接続端子は、第２電圧極刃受端子43と組み合わされて電気的に接続されている。アース線Ｇが挿入させる電線挿入孔55の電線接続端子は、接地極刃受端子40と組み合わされて電気的に接続されている。
【００２６】
電線挿入孔52の近傍、電線挿入孔53，54の近傍、および電線挿入孔55の近傍には、電線接続端子による保持を解除して電線の抜き外しを可能とするリリースボタン56，57，58がそれぞれ配置されている。
【００２７】
そして、このように構成されたコンセント10は、例えば、住宅の壁面などに設置されるエアコン用コンセントとして使用される。
【００２８】
１００Ｖ仕様のエアコンが設置された場合には、そのエアコンの電源コードの接地極付１００Ｖ用プラグが第１電圧用コンセント部21に接続される。すなわち、接地極付１００Ｖ用プラグの各プラグ刃が、共通接地極刃受部26、第１電圧極刃受部27および中性極刃受部28の各差込口29，30，31に差し込まれて各端子40，41，42に接続される。
【００２９】
２００Ｖ仕様のエアコンが設置された場合には、そのエアコンの電源コードの接地極付２００Ｖ用プラグが第２電圧用コンセント部22に接続される。すなわち、接地極付２００Ｖ用プラグの各プラグ刃が、共通接地極刃受部26、第１電圧極刃受部34および第２電圧極刃受部35の各差込口29，36，37に差し込まれて各端子40，41，43に接続される。
【００３０】
なお、第１電圧用コンセント部21と第２電圧用コンセント部22とは、いずれか一方のみが使用される。
【００３１】
また、電源コードがプラグとは別に引き出されたアース線を有する場合には、アース扉47を開けて接続口46を開口し、アース線をアース接続ねじ49でアース端子48に接続する。アース線が速結端子付きの場合でも、アース接続ねじ49を有することでアース端子48に接続できる。
【００３２】
そして、図４に比較例のコンセント10Aを示す。コンセント本体13Aの前面側に、第１電圧用の接地極刃受部26Aを有する第１電圧用コンセント部21Aと、第１電圧用の接地極刃受部26Aとは別の第２電圧用の接地極刃受部26Bを有する第２電圧用コンセント部22Aとが並べて設けられたものである。この比較例のコンセント10Aでは、第１電圧用コンセント部21Aの接地極刃受部26Aと第２電圧用コンセント部22Aの接地極刃受部26Bとがそれぞれ個別に設けられているため、接地極刃受部26Aと接地極刃受部26Bとに１つの接地極刃受端子を共用しようとした場合、接地極刃受端子が大形で複雑になってしまう。また、コンセント本体13Aの前面側に占める２つのコンセント部21A，22Aの配置範囲が大きくなり、アースターミナル部などの他の構成を設けることが制限される。
【００３３】
それに対し、図１ないし図３に示す本実施形態のコンセント10では、第１電圧用コンセント部21と第２電圧用コンセント部22とで１つの共通接地極刃受部26を共用するため、接地極刃受端子40を小形化および簡素化するとともに、コンセント本体13の前面側に占める２つのコンセント部21，22の配置範囲を小さくすることができる。
【００３４】
そして、コンセント本体13の前面側に占める２つのコンセント部21，22の配置範囲を小さくできることにより、コンセント本体13の前面側には、第１電圧用コンセント部21および第２電圧用コンセント部22とともに、アースターミナル部23も一緒に配置することができる。
【００３５】
なお、コンセント本体13の前面側には、上側に第１電圧用コンセント部21、下側に第２電圧用コンセント部22を並べて配置したが、１つの共通接地極刃受部26を共用していれば、上側に第２電圧用コンセント部22、下側に第１電圧用コンセント部21を並べて配置してもよく、あるいは、左右に第１電圧用コンセント部21と第２電圧用コンセント部22と並べて配置してもよい。
【００３６】
また、第１電圧用コンセント部21と第２電圧用コンセント部22とは、１つの共通接地極刃受部26を共用していれば、同じ電圧で電流が異なる組み合わせでよく、あるいは、電流、電圧が同じ組み合わせでもよい。第１電圧用コンセント部21と第２電圧用コンセント部22とで電流、電圧が同じ組み合わせの場合には、例えばプラグのプラグ刃が電源コードの接続方向に対して交差しているプラグの場合、第１電圧用コンセント部21と第２電圧用コンセント部22とで、接続時の電源コードの引出方向を反対になるため、電源コードの引出方向を任意に選択することができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    コンセント
13    コンセント本体
21    第１電圧用コンセント部
22    第２電圧用コンセント部
23    アースターミナル部
25a，25b    第１電圧用刃受部
26    共通接地極刃受部
33a，33b    第２電圧用刃受部
【図１】
2019145368.tif 000003
【図２】
2019145368.tif 000004
【図３】
2019145368.tif 000005
【図４】
2019145368.tif 000006